(57)【要約】【課題】施工の簡単なパネルフェンスの提供。【解決手段】隣り合う平行框１、１の夫々に長手方向に開設され互いに対向する溝条11に、長手方向に嵌込み溝20を有するスペーサ２を緊密に嵌合して両スペーサ２、２の嵌込み溝20、20を対向させ、複数枚のパネル３の両端を両スペーサ２、２の嵌込み溝20、20に嵌め込む。スペーサ２は框１の溝条11に緊密に嵌まって框１自体に保持されているから、スペーサ２を特別の治具で保持する必要はなく、スペーサの嵌込み溝20にパネル３の端部を嵌込みできる。このため、スペーサを保持するための治具の取付けや、取外しの手間は不要であり、施工時間を短縮できる。【選択図】図１
0003130624.tif 000002
【実用新案登録請求の範囲】
【請求項１】
隣り合う平行框(１)(１)の夫々に長手方向に開設され互いに対向する溝条(11)に、長手方向に嵌込み溝(20)を有するスペーサ(２)を緊密に嵌合して両スペーサ(２)(２)の嵌込み溝(20)(20)を対向させ、複数枚のパネル(３)の両端を両スペーサ(２)(２)の嵌込み溝(20)(20)に嵌めた、パネルフェンス。
【請求項２】
框(１)はＨ形鋼(1a)であって、３本以上のＨ形鋼(1a)が用いられ、隣り合うＨ形鋼(1a)(1a)間に複数枚のパネル(３)が取り付けられている、請求項１に記載のパネルフェンス。
【請求項３】
スペーサ(２)は框(１)の溝条(11)に、該溝条(11)の両側壁(13)(13)を突っ張る様に嵌め込まれている、請求項１又は２に記載のパネルフェンス。
【請求項４】
スペーサ(２)は、框(１)の溝条(11)の溝底(12)に沿う底板(21)と、該底板(21)の両端から溝条(11)の開口側に向かう２つの壁板(22)(22)と、両壁板(22)(22)の先端から互いに接近する方向に対向して延びる蓋板(23)(24)を有し、両蓋板(23)(24)間が嵌込み溝(20)となっている、請求項１乃至３の何れかに記載のパネルフェンス。
【請求項５】
スペーサ(２)の両壁板(22)(22)は框(１)の溝条(11)に沈み込む高さであり、一方の蓋板(23)の内縁から底板(21)側に内向き縁板(25)が延び、他方の蓋板(24)の内縁から外向き縁板(26)が延びている、請求項４に記載のパネルフェンス。
【請求項６】
パネル(３)は金属板の曲げ加工によって、長手方向に沿う一方の縁部に凸条(34)、他方の縁部に凹条(35)が形成され、上下に隣り合うパネルの凸条(34)と凹条(35)が框(１)の溝条(11)に沿う方向に抜け勝手に嵌合している、請求項１乃至５の何れかに記載のパネルフェンス。
【請求項７】
パネル(３)は、長手方向の両端部にパネル(３)の板面と直交しパネルの長手方向に延びる帯状のリブ板(32)(33)を屈曲して形成し、該リブ板(32)(33)に連続して一方のリブ板(33)には凸条(34)、他方のリブ板(32)には凹条(35)を形成しており、凸条(34)及び凹条(35)は夫々リブ板(32)(33)と平行な板部(34a)(35a)を含んでおり、隣り合うパネル(３)(３)のリブ板(32)(33)どうしが当接した状態で、凸条(34)と凹条(35)が嵌合している、請求項６に記載のパネルフェンス。
【請求項８】
請求項１乃至７の何れかのパネルフェンスを外壁に実施した立体駐車等の構築物。
【考案の詳細な説明】
【技術分野】
【０００１】
本考案は、隣り合う框の夫々に対向して形成されている溝条に複数枚のパネルの両端を嵌め込んでなるパネルフェンス及び、該パネルフェンスを施工した構築物に関するものである。
【背景技術】
【０００２】
この種パネルフェンスは種々提案されているが、能率的に施工できない問題があった。
例えば、図１０に示す従来例のパネルフェンス(特許文献１)は、Ｈ形鋼(６)の溝条(61)に棒状の押圧部材(７)を収容し、該溝条(61)の一方の側壁(62)と、該押圧部材(７)との間に各パネル(８)の端部を嵌め込んでいる。Ｈ形鋼(６)に螺合した押しボルト(９)を締め付けて、パネル(８)の端部を、溝条(61)の側壁(62)と押圧部材(７)によって挟圧保持している。
各パネル(８)の下端にはＬ形の嵌込み部(82)が、上端には横向きコ字状の受け部(81)がパネル(８)の全長に亘って夫々形成されている。
【０００３】
上記パネルフェンスの施工は、Ｈ形鋼の縦向き溝条(61)の上端から、各パネル(８)の端部を順に落とし込み、パネル(８)の落とし込み毎に、図１１ａ、ｂ、ｃに示す手順で、上段パネルの下縁の嵌み部(82)を、下段パネルの受け部(81)の上掛かり縁(81a)をかわして受け部(81)に嵌め込み、各パネルを溝条(61)に嵌め込んでから、押しボルト(９)を締め付け、押圧部材(７)を介して各パネルを押圧して、各パネルの板面を同一平面に揃えている。
【０００４】
【特許文献１】特開２００５−１８８０８８号公報
【考案の開示】
【考案が解決しようとする課題】
【０００５】
上記パネルフェンスは施工に際し、立設したＨ形鋼(６)の溝条(61)にパネル(８)の端部を落とし込む前に、該溝条(61)に押圧部材(７)を挿入しておく必要がある。これは溝条(61)の幅に対してパネル(８)の全厚に遊びがあり過ぎて、上下のパネルが溝条(61)の中で傾いた状態となって積み重なり、同一面内に揃えることが困難となるからである。
溝条(61)に押圧部材(７)を収容し、押しボルト(９)の締め付けによって、Ｈ形鋼(６)の有効溝幅をパネル(８)の厚みに対応させれば、パネルをＨ形鋼(６)の溝条(61)に円滑に落とし込むことができ、且つパネルの板面を揃えることができる。しかし、その様にすれば、上段パネルの嵌込み部(82)は、下段パネルの受け部(81)の上掛かり縁(81a)をかわすことができず、嵌込み部(82)と受け部(81)の係合ができなくなる。
又、Ｈ形鋼(６)に螺合した押しボルト(９)と押圧部材(７)は連結されていないから、パネル(８)の落とし込み作業中は、押圧部材(７)をＨ形鋼(６)の溝条(61)内の適正位置で真直ぐに支えておく必要があり、このためには特別な治具又は人手を必要とする。
又、Ｈ形鋼(６)にネジ孔(71)を開設する手間、該ネジ孔(71)に押しボルト(９)を螺合する手間、全てのパネル(８)をセットした後に押しボルト(９)を締め付ける手間を必要とし、パネルフェンスの施工時間の短縮に支障となっていた。
【０００６】
本考案は、上記従来のパネルフェンスの問題を解決できるパネルフェンス及び該パネルフェンスを用いた構築物を明らかにするものである。
【課題を解決するための手段】
【０００７】
請求項１のパネルフェンスは、隣り合う平行框(１)(１)の夫々に長手方向に開設され互いに対向する溝条(11)に、長手方向に嵌込み溝(20)を有するスペーサ(２)を緊密に嵌合して両スペーサ(２)(２)の嵌込み溝(20)(20)を対向させ、複数枚のパネル(３)の両端を両スペーサ(２)(２)の嵌込み溝(20)(20)に嵌め込んでいる。
【０００８】
請求項２は、請求項１のパネルフェンスにおいて、框(１)はＨ形鋼(1a)であって、３本以上のＨ形鋼(1a)が用いられ、隣り合うＨ形鋼(1a)(1a)間に複数枚のパネル(３)が取り付けられている。
【０００９】
請求項３は、請求項１又は２に記載のパネルフェンスにおいて、スペーサ(２)は金属板の曲げ加工により形成され、框(１)の溝条(11)に、該溝条(11)の両側壁(13)(13)を突っ張る様に嵌め込まれている。
【００１０】
請求項４は、請求項１乃至３のパネルフェンスにおいて、スペーサ(２)は、框(１)溝条(11)の溝底(12)に沿う底板(21)と、該底板(21)の両端から溝条(11)の開口側に向かう２つの壁板(22)(22)と、両壁板(22)(22)の先端から互いに接近する方向に対向して延びる蓋板(23)(24)を有し、両蓋板(23)(24)間が嵌込み溝(20)となっている。
【００１１】
請求項５は、請求項４のパネルフェンスにおいて、スペーサ(２)の両壁板(22)(22)は溝条(11)に沈み込む高さであり、一方の蓋板(23)の内縁から底板(21)側に向けて内向き縁板(25)が延び、他方の蓋板(24)の内縁から外向き縁板(26)が延びている。
【００１２】
請求項６は、請求項１乃至５のパネルフェンスにおいて、パネル(３)は金属板の曲げ加工によって、長手方向に沿う一方の縁部に凸条(34)、他方の縁部に凹条(35)が形成され、上下に隣り合うパネルの凸条(34)と凹条(35)が框(１)の溝条(11)に沿う方向に抜け勝手に嵌合している。
【００１３】
請求項７は、請求項６のパネルフェンスにおいて、パネル(３)は、長手方向の両端部にパネル(３)の板面と直交しパネルの長手方向に延びるリブ板(32)(33)を屈曲して形成し、該リブ板(32)(33)に連続して一方のリブ板(33)には凸条(34)、他方のリブ板(32)には凹条(35)を形成しており、凸条(34)及び凹条(35)は夫々リブ板(32)(33)と平行な板部(34a)(35a)を含んでおり、隣り合うパネル(３)(３)のリブ板(32)(33)どうしが当接した状態で、凸条(34)と凹条(35)が嵌合している。
【００１４】
請求項８は、請求項１乃至７の何れかのパネルフェンスを外壁に実施した立体駐車等の構築物である。
【考案の効果】
【００１５】
請求項１のパネルフェンスは、框(１)の溝条(11)にセットしたスペーサ(２)の嵌込み溝(20)にパネル(３)の端部を嵌め込む際、スペーサ(２)は框(１)の溝条(11)に緊密に嵌まって框(１)自体に保持されているから、スペーサ(２)を特別の治具や人手で保持する必要はない。このため、該治具の取付け、取外しの手間は不要であり、施工時間も短縮できる。
又、治具に代えて作業者がスペーサ(２)を框(１)から外れない様に支えておく必要もなく、少ない作業者で施工ができる。
【００１６】
請求項２のパネルフェンスの框(１)はＨ形鋼(1a)であるから、市販のＨ形鋼(1a)を構造材としての柱を兼用させて用いることができる。しかもＨ形鋼(1a)は２つの溝条(11)(11)を背中合わせに有しているから、多数本の框(１)を用いた長尺のパネルフェンスの施工において、１本のＨ形鋼(1a)の２つの溝条(11)(11)に、横に隣り合うパネルの端部を嵌め込むことができ、框(１)の本数を減らすことができる。
【００１７】
請求項３のパネルフェンスのスペーサ(２)は、金属板の曲げ加工によって安価に製作できる。又、金属板の曲げ加工によってスペーサ(２)を製作すると、スペーサ(２)に適度な弾性変形性を付与し易いため、框(１)の溝条(11)の両側壁(13)(13)内面に突っ張って、容易には脱出しない程度の公差に嵌めみできるスペーサ(２)を容易に製作できる。
【００１８】
請求項４のパネルフェンスのスペーサ(２)は、パネル(３)に対する嵌込み溝(20)の両側を蓋板(23)(24)で塞いでいるから、パネル(３)との間の隙間を最小限にして、美観を向上できる。
【００１９】
請求項５のパネルフェンスのスペーサ(２)は、蓋板(23)(24)から延びた内向き縁板(25)と外向き縁板(26)がパネル(３)に対する補強リブの役割を果たすと共に、嵌込み溝(20)にパネル(３)の端部を嵌めて滑らせる際に、内向き縁板(25)と外向き縁板(26)がパネル(３)に対して面当りとなり、パネル(３)の傷付きを防止できる。
又、スペーサ(２)の壁板(22)(22)及び蓋板(23)(24)は、框(１)の溝条(11)内に収まるから、パネルフェンスを施工する際に、外向き縁板(26)をパネルフェンスの内側とすることで、パネルフェンスの外側からの外観をシンプルにして、美観を向上できる。
【００２０】
請求項６のパネルフェンスのパネル(３)は金属板の曲げ加工によって形成されており、曲げ強度は大きくはないが、長手方向の両側縁に凸条(34)と凹条(35)を形成しているから該凸条(34)と凹条(35)が補強リブの役割をなし、パネルフェンスとして必要な強度を保有できる。
又、隣り合うパネル(３)(３)の凸条(34)と凹条(35)が、嵌込み溝(20)に沿う方向に抜け勝手に嵌合しているから、パネルフェンスの施工の際は、框(１)(１)の溝条(11)(11)にセットされたスペーサ(２)(２)の嵌込み溝(20)(20)にパネル(３)を順に嵌め込むだけで、凹条(35)に凸条(34)が嵌合する。この点で、特許文献１のパネルフェンスの様に、パネル嵌込み方向と直交する方向に遊びがなけば、隣り合うパネル(８)(８)の嵌込み部(82)と受け部(81)を係合できないものとは大きな違いがある。この違いによって、本願の場合、スペーサ(２)の嵌込み溝(20)の溝幅を、パネル(３)の全厚に対して遊びなく嵌込み可能な寸法とすることができ、パネルとスペーサ(２)との間にガタ付きを生じることなく、パネル(３)の端部を嵌込み溝(20)に滑らせてパネルフェンスを施工できる。
隣り合うパネルの凹条(35)に凸条(34)が嵌合すると、パネル間に隙間は完全に無くなると共に、嵌合部の強度は倍加する。
【００２１】
請求項７のパネルフェンスのパネル(３)の長手方向に沿う両縁部は、リブ板(32)(33)と、凸条(34)及び凹条(35)の板部(34a)(35a)が、パネル(３)の板面(31)と直交しているから、パネル(３)に対する曲げ強度を高めることができる。
【００２２】
請求項８の構築物は、請求項５の効果と同様の効果を奏する。
【考案を実施するための最良の形態】
【００２３】
図１は、パネルフェンスの分解斜視図である。
実施例のパネルフェンスは、縦向きの２本の框(１)(１)と、両框(１)(１)に開設した溝条(11)(11)に嵌まるスペーサ(２)(２)と、両スペーサ(２)(２)に形成した嵌込み溝(20)(20)に両端を嵌めて、上下方向に隣り合って配備された複数枚の横長のパネル(３)と、パネル列の上下の端部に被さった端杆(４)(４)とによって構成される。
【００２４】
実施例の框(１)はＨ形鋼(1a)であって、框(１)の全長に亘って溝条(11)(11)が背合わせに開設されている。図１には示されていないが、パネルフェンスは必要横長さに応じて、３本以上の框(１)を立設し、隣り合う框(１)(１)の間にパネル(３)が配備される。
框(１)の下端には溝条(11)の端を塞いで受板(14)が溶接固定されている。
【００２５】
スペーサ(２)は、金属板の曲げ加工により一様断面に形成されている。
図５に示す如く、スペーサ(２)は、框(１)の溝底(12)に当る底板(21)と、該底板(21)の両端から框(１)の溝条(11)の開口側に向かう２つの壁板(22)(22)と、両壁板(22)(22)の先端から互いに接近する方向に対向して延びる蓋板(23)(24)と、一方の蓋板(23)の内縁から底板(21)側に延びる内向き縁板(25)と、他方の蓋板(24)の内縁から該内向き縁板(25)に対して平行に外向きに延びる外向き縁板(26)を有している。
蓋板(23)(24)間が、パネル(３)の端部を嵌める嵌込み溝(20)となっている。
パネル(３)の内向き縁板(25)側の蓋板(23)の幅は、他方の蓋板(24)の幅よりも小さい。
内向き縁板(25)の幅は、外向き縁板(26)の幅よりも小さい。
パネル(３)の両壁板(22)(22)は溝条(11)に沈み込む高さである。
スペーサ(２)の底板(21)と壁板(22)(22)との隅にはスペーサ(２)の弾性変形を容易にするための傾斜部(27)(27)が形成されている。
スペーサ(２)は、上記傾斜部(27)(27)の弾性変形により、両壁板(22)(22)が框(１)の溝(11)の両側壁(13)(13)を突っ張って、容易には外れない様に嵌め込まれている。
【００２６】
パネル(３)は金属板の曲げ加工によって一様断面に形成されている。
図７に示す如く、パネル(３)は、上下両縁部にパネル(３)の板面(31)と直交して延びるリブ板(32)(33)と、上側のリブ板(32)に連続して形成された上向きコ字状の凸条(34)と、下側のリブ板(33)に連続して形成された上向きコ字状の凹条(35)を有している。凹条(35)の深さは凸条(34)の高さより大である。
隣り合うパネル(３)(３)の板面(31)(31)が揃い、リブ板(32)(33)が当接した状態で、凸条(34)は隣り合うパネルの凹条(35)に、框(１)の溝条(11)に沿う方向に抜け勝手に嵌合する。
パネル(３)の板面(31)と各リブ板(32)(33)とが成す隅には、外向きの傾斜部(36)(36)が形成されている。
上記凸条(34)と凹条(35)には夫々のリブ板(32)(33)の反対側の縁部には、内側に折り返された折返し片(34b)(35b)が設けられる。該折返し片(34b)(35b)は、金属板のエッジを隠して安全性と美観を考慮したものであるが、凹条(35)の折返し片(35b)は凸条(34)が嵌まり込む際の案内の役割及び、凸条(34)が抜け難くする役割も成す。
【００２７】
図６に示す如く、端杆(４)は金属板の曲げ加工によって、コ字状の一様断面に形成されている。
端杆(４)の対向する側板(41)(41)の外面間の幅寸法は、前記スペーサ(２)の嵌込み溝(20)に緊密に嵌まる様に決められている。
端杆(４)の側板(41)(41)の長手方向に沿う端縁は内向きに屈曲した案内縁(42)(42)を形成している。案内縁(42)(42)は、金属板のエッジを隠して安全性と美観を高め、更に、最下段、最上段のパネル(３)の長手方向に沿う縁部の嵌込み案内となる。
【００２８】
パネルフェンスは、以下の手順で施工する。
第１手順：必要本数の框(１)をパネル(３)の長さに対応する間隔で立設する。
第２手順：各框(１)の溝条(11)にスペーサ(２)をセットする。
第３手順：下側の端杆(４)を開口を上向きにして両端を対向するスペーサ(２)(２)の嵌込み溝(20)(20)の下端に嵌め、框(１)の受板(14)に載せる。
第４手順：対向するスペーサ(２)(２)の嵌込み溝(20)(20)の上端開口から、パネル(３)の両端を嵌め込んで、嵌込み溝(20)中をスライドさせて落とし込む。最下段のパネル(３)の下側側縁を端杆(４)に嵌める(図８参照)。必要枚数のパネル(３)を同様にして、スペーサ(２)(２)の嵌込み溝(20)(20)に嵌め込み、上下に隣り合うパネル(３)(３)のリブ板(32)(33)どうしを当接し、凸条(34)と凹条(35)を嵌合させる(図７参照)。
第５手順：上側の端杆(４)を開口を下向きにして両端を対向するスペーサ(２)(２)の嵌込み溝(20)(20)の上端に嵌め、最上段のパネル(３)の上縁に被せる。
必要に応じて、端杆(４)とパネル(３)をビス(40)で止める(図９参照)。
又、必要に応じて、両框(１)(１)の上端間に端杆(４)に被さる様に笠木(図示せず)を被せて、美観を向上をさせることもできる。
【００２９】
上記第２手順では、図２に示す如く、スペーサ(２)の両蓋板(23)(24)の内、内向き縁板(25)側の幅狭の蓋板(23)側が外側となる様に、スペーサ(２)を框(１)の溝条(11)に嵌込む。
これによって、パネルフェンスの外側からは、内向き縁板(25)が隠れて見えず、又、框(１)の外側側壁(13)とパネル(３)の段差が小さくなるので、外観の体裁がよくなる。
【００３０】
前記第３手順に際して、スペーサ(２)の下端部と端杆(４)の端部で重なりが生じるので、必要に応じて、端杆(４)とスペーサ(２)の端部を斜めにカットする等の手段を講じる。
スペーサ(２)に対しては、スペーサ(２)を框(１)の溝条(11)に嵌込む前に、カットしておけばよい。
【００３１】
前記第４手順では、パネル(３)の凸条(34)と凹条(35)が、パネルフェンスの内側となる様に、パネル(３)をスペーサ(２)の嵌込み溝(20)に嵌め込む。
これによって、隣り合うパネル(３)(３)の凸条(34)と凹条(35)の係合部は、パネルフェンスの外側からは見えず、外観の体裁がよくなる。
パネル(３)をスペーサ(２)の嵌込み溝(20)に嵌めて順に落とし込む際、隣り合うパネルが突き合わさる際の衝撃は、パネル(３)の傾斜部(36)(36)の弾性変形によって和らげられ、パネル(３)は大きなダメージを受けない。
【００３２】
上記パネルフェンスは立体駐車場の外壁用に開発したものであるが、これに限らず各種構築物の外壁、仕切り壁、間仕切り等に実施できるのは勿論である。
【００３３】
又、框(１)(１)を横向きに使用し、パネル(３)を縦向きにして框(１)(１)間にセットすることもできる。
【００３４】
上記実施例の説明は、本考案を説明するためのものであって、実用新案登録請求の範囲に記載の考案を限定し、或いは範囲を減縮する様に解すべきではない。又、本考案の各部構成は上記実施例に限らず、実用新案登録請求の範囲に記載の技術的範囲内で種々の変形が可能であることは勿論である。
【図面の簡単な説明】
【００３５】
【図１】パネルフェンスの分解斜視図である。
【図２】パネルフェンスの平面図である。
【図３】パネルどうしが突き合わさった状態の側面図である。
【図４】パネルの縦断面図である。
【図５】框の溝条に嵌まったスペーサの横断面図である。
【図６】端杆の縦断面図である。
【図７】パネルどうしの突き合わせ部の断面図である。
【図８】下側端杆にパネルの下縁が締まった状態の断面図である。
【図９】最上段のパネルの上縁に上側端杆が被さった状態の断面図である。
【図１０】従来例のパネルフェンスの要部斜面図である。
【図１１】従来例のパネルの突合せ手順の説明図である。
【符号の説明】
【００３６】
１  框
11  溝条
２  スペーサ
20  嵌込み溝
３  パネル
４  端杆
【図１】
0003130624.tif 000003
【図２】
0003130624.tif 000004
【図３】
0003130624.tif 000005
【図４】
0003130624.tif 000006
【図５】
0003130624.tif 000007
【図６】
0003130624.tif 000008
【図７】
0003130624.tif 000009
【図８】
0003130624.tif 000010
【図９】
0003130624.tif 000011
【図１０】
0003130624.tif 000012
【図１１】
0003130624.tif 000013